(57)【要約】【課題】セル生産方式にも対応しつつ、作業者毎の作業実績を簡単かつ効率的に収集する。【解決手段】作業実績管理装置１０Ａは、各テーブル２０Ａ〜２０Ｄと、各アンテナについて、近接する作業者用発信器の作業者識別情報、物品用発信器の物品識別情報、及び作業工程用発信器の作業工程識別情報の各々を検知した検知時刻を取得する取得部１２と、取得された検知時刻に基づいて、同一のアンテナで検知された作業者識別情報、物品識別情報、及び作業工程識別情報と同一のアンテナのアンテナ識別情報とを対応付ける対応付け部１４と、対応付けられた各識別情報に基づいて、各テーブル２０Ａ〜２０Ｄを検索することにより、複数の作業者の各々について、作業場所、物品、及び作業工程を示す情報を収集し、かつ、検知時刻に基づいて、作業工程毎の開始と終了の時刻を収集する収集部１６と、を備える。【選択図】図１
2018169648.tif 000002
【特許請求の範囲】
【請求項１】
複数の作業場所の各々に設置されたアンテナの各々を個別に特定するアンテナ識別情報の各々を、前記複数の作業場所の各々に対応付けて登録した作業場所テーブルと、
複数の作業者用発信器の各々を個別に特定する作業者識別情報の各々を、複数の作業者の各々に対応付けて登録した作業者テーブルと、
複数の物品用発信器の各々を個別に特定する物品識別情報の各々を、複数の物品の各々に対応付けて登録した物品テーブルと、
複数の作業工程用発信器の各々を個別に特定する作業工程識別情報の各々を、複数の作業工程の各々に対応付けて登録した作業工程テーブルと、
前記アンテナの各々について、前記複数の作業者用発信器のうち近接する作業者用発信器の作業者識別情報、前記複数の物品用発信器のうち近接する物品用発信器の物品識別情報、及び前記複数の作業工程用発信器のうち近接する作業工程用発信器の作業工程識別情報の各々を検知した検知時刻を取得する取得部と、
前記取得部により取得された検知時刻に基づいて、同一のアンテナで検知された作業者識別情報、物品識別情報、及び作業工程識別情報と、前記同一のアンテナのアンテナ識別情報とを対応付ける対応付け部と、
前記対応付け部により対応付けられたアンテナ識別情報、作業者識別情報、物品識別情報、及び作業工程識別情報に基づいて、前記作業場所テーブル、前記作業者テーブル、前記物品テーブル、及び前記作業工程テーブルを検索することにより、前記複数の作業者の各々について、作業場所、物品、及び作業工程を示す情報を収集し、かつ、前記検知時刻に基づいて、作業工程毎の開始と終了の時刻を収集する収集部と、
を備えたことを特徴とする作業実績管理装置。
【請求項２】
前記収集部により収集された、作業場所、物品、及び作業工程を示す情報、及び作業工程毎の開始と終了の時刻を作業者毎に登録した作業実績テーブルを更に備え、
前記収集部は、前記作業工程毎の開始と終了の時刻から算出される作業実績時間を作業者毎に前記作業実績テーブルに登録することを特徴とする請求項１に記載の作業実績管理装置。
【請求項３】
前記作業実績テーブルに登録された内容に基づいて、作業者毎の作業実績を表す表示画面を生成する生成部と、
前記生成部により生成された表示画面を表示する表示部と、
を更に備えたことを特徴とする請求項２に記載の作業実績管理装置。
【請求項４】
予め作成された複数の作業指示情報であって、各々が作業場所、物品、作業工程、及び作業予定時間を含む複数の作業指示情報を登録した作業指示テーブルを更に備え、
前記収集部は、前記作業実績テーブルに登録された作業実績時間と、前記作業指示テーブルに登録された作業予定時間との差異を作業者毎に前記作業実績テーブルに登録することを特徴とする請求項２又は３に記載の作業実績管理装置。
【請求項５】
前記作業実績テーブルに登録された複数の物品と、前記複数の物品の各々の仕様とを対応付けて登録した物品仕様テーブルと、
前記物品仕様テーブルから、新規の物品に関して指定された仕様に対応する複数の物品を示す情報を取得し、前記作業実績テーブルから、前記複数の物品の各々についての作業工程毎の作業実績時間を取得し、取得した作業実績時間を作業工程毎に集計した結果に基づいて、作業工程毎に作業実績時間の平均値を算出する算出部と、
を更に備えたことを特徴とする請求項４に記載の作業実績管理装置。
【請求項６】
前記算出部は、前記作業工程毎の作業実績時間の平均値を、前記新規の物品の作業工程毎の作業予定時間として、前記作業指示テーブルに登録することを特徴とする請求項５に記載の作業実績管理装置。
【請求項７】
前記作業者用発信器は、作業者により所持され、前記作業者識別情報を含むビーコン信号を発信する発信器であり、
前記物品用発信器は、物品又は物品と共に移動する作業指示書に貼付され、前記物品識別情報を含むビーコン信号を発信する発信器であり、
前記作業工程用発信器は、作業工程を表すラベルに貼付され、前記作業工程識別情報を含むビーコン信号を発信する発信器であることを特徴とする請求項１〜６のいずれか１項に記載の作業実績管理装置。
【請求項８】
複数の作業場所の各々に設置されたアンテナの各々を個別に特定するアンテナ識別情報の各々を、前記複数の作業場所の各々に対応付けて登録した作業場所テーブルと、
複数の作業者用発信器の各々を個別に特定する作業者識別情報の各々を、複数の作業者の各々に対応付けて登録した作業者テーブルと、
複数の物品用発信器の各々を個別に特定する物品識別情報の各々を、複数の物品の各々に対応付けて登録した物品テーブルと、
複数の作業工程用発信器の各々を個別に特定する作業工程識別情報の各々を、複数の作業工程の各々に対応付けて登録した作業工程テーブルと、を用いて、
前記アンテナの各々について、前記複数の作業者用発信器のうち近接する作業者用発信器の作業者識別情報、前記複数の物品用発信器のうち近接する物品用発信器の物品識別情報、及び前記複数の作業工程用発信器のうち近接する作業工程用発信器の作業工程識別情報の各々を検知した検知時刻を取得し、
前記取得された検知時刻に基づいて、同一のアンテナで検知された作業者識別情報、物品識別情報、及び作業工程識別情報と、前記同一のアンテナのアンテナ識別情報とを対応付け、
前記対応付けられたアンテナ識別情報、作業者識別情報、物品識別情報、及び作業工程識別情報に基づいて、前記作業場所テーブル、前記作業者テーブル、前記物品テーブル、及び前記作業工程テーブルを検索することにより、前記複数の作業者の各々について、作業場所、物品、及び作業工程を示す情報を収集し、かつ、前記検知時刻に基づいて、作業工程毎の開始と終了の時刻を収集する、
処理をコンピュータに実行させることを特徴とする作業実績管理プログラム。
【発明の詳細な説明】
【技術分野】
【０００１】
本発明は、作業実績管理装置及びプログラムに関する。
【背景技術】
【０００２】
物品を製造する製造現場では、個々の作業工程における作業を効率的に行うことが恒常的に要求されている。このため、作業者が作業工程毎に作業に要した時間（作業実績時間）を管理し、作業者毎に作業実績を分析することが行われている。
【０００３】
従来、製造現場での作業実績時間を収集するためには、作業者がハンディターミナル等を用いて、物品等に貼付されているバーコードを読み取ることで、作業の開始、中断、再開、終了等の入力の操作をその都度行う必要があった。この場合、入力の操作に手間がかかり、入力のし忘れ等も起こり得るため、作業実績時間を簡単かつ効率的に収集することが難しかった。
【０００４】
これに対して、製造現場において、ローカル端末を各工程に対応する作業場所毎に配置し、ローカル端末により、作業者が持つ作業者タグから個人識別情報を読み取り、作業対象の物品に添付された物品タグから物品識別情報を読み取る技術が提案されている。この技術によれば、ローカル端末により得られる情報に基づいて、作業者毎に作業工程毎の作業実績時間が収集される。
【先行技術文献】
【特許文献】
【０００５】
【特許文献１】特開２００９−２８９１３４号公報
【発明の概要】
【発明が解決しようとする課題】
【０００６】
ところで、上記の従来技術では、１つの物品を流れ作業で生産するライン生産方式を意図しているため、１つの物品が複数の作業場所を移動し、１つの作業場所では１つの作業工程に沿った作業が行われる。このため、上記の従来技術では、作業工程を識別するための識別情報が作業場所に配置されたローカル端末に付与されており、これにより作業工程の識別を行っている。
【０００７】
一方、製造現場における物品の生産方式の１つとして、１人又は少数の作業者が一連の複数の作業工程を担当し、物品の完成又は検査まで行うセル生産方式がある。セル生産方式は、上記のライン生産方式と比べ、多品種少量生産に適した生産方式とされる。このセル生産方式においては、１つの物品に対して、作業場所となるセルが１つ割り当てられ、１つのセルで一連の複数の作業工程に沿った作業が行われる場合がある。
【０００８】
すなわち、上記のセル生産方式では、１つのセルにおいて１つの物品についての複数の作業工程に沿った作業が一貫して行われ、セルと作業工程とが一対一で対応していない場合がある。従って、上記の従来技術のように、セル毎に作業工程の識別情報を付与したとしても、作業工程を識別することは困難である。
【０００９】
これより、作業者毎に作業工程毎の作業実績を管理する場合においては、セル生産方式にも対応しつつ、作業者毎の作業実績を簡単かつ効率的に収集できることが望まれている。
【００１０】
本発明は、一つの側面として、セル生産方式にも対応しつつ、作業者毎の作業実績を簡単かつ効率的に収集することを目的とする。
【課題を解決するための手段】
【００１１】
一つの態様として、作業実績管理装置は、作業場所テーブルと、作業者テーブルと、物品テーブルと、作業工程テーブルと、取得部と、対応付け部と、収集部と、を備える。前記作業場所テーブルは、複数の作業場所の各々に設置されたアンテナの各々を個別に特定するアンテナ識別情報の各々を、前記複数の作業場所の各々に対応付けて登録する。前記作業者テーブルは、複数の作業者用発信器の各々を個別に特定する作業者識別情報の各々を、複数の作業者の各々に対応付けて登録する。前記物品テーブルは、複数の物品用発信器の各々を個別に特定する物品識別情報の各々を、複数の物品の各々に対応付けて登録する。前記作業工程テーブルは、複数の作業工程用発信器の各々を個別に特定する作業工程識別情報の各々を、複数の作業工程の各々に対応付けて登録する。前記取得部は、前記アンテナの各々について、前記複数の作業者用発信器のうち近接する作業者用発信器の作業者識別情報を検知した検知時刻を取得する。前記取得部は、前記アンテナの各々について、前記複数の物品用発信器のうち近接する物品用発信器の物品識別情報を検知した検知時刻を取得する。前記取得部は、前記アンテナの各々について、前記複数の作業工程用発信器のうち近接する作業工程用発信器の作業工程識別情報を検知した検知時刻を取得する。前記対応付け部は、前記取得部により取得された検知時刻に基づいて、同一のアンテナで検知された作業者識別情報、物品識別情報、及び作業工程識別情報と、前記同一のアンテナのアンテナ識別情報とを対応付ける。前記収集部は、前記対応付け部により対応付けられたアンテナ識別情報、作業者識別情報、物品識別情報、及び作業工程識別情報に基づいて、前記作業場所テーブル、前記作業者テーブル、前記物品テーブル、及び前記作業工程テーブルを検索する。前記収集部は、各テーブルの検索により、前記複数の作業者の各々について、作業場所、物品、及び作業工程を示す情報を収集し、かつ、前記検知時刻に基づいて、作業工程毎の開始と終了の時刻を収集する。
【発明の効果】
【００１２】
一つの側面として、セル生産方式にも対応しつつ、作業者毎の作業実績を簡単かつ効率的に収集することができる。
【図面の簡単な説明】
【００１３】
【図１】第１の実施形態に係る作業実績管理装置及びセル組立を含む作業実績管理システムの構成の一例を示すブロック図である。
【図２】実施形態に係る作業場所テーブルの構成の一例を示す模式図である。
【図３】実施形態に係る作業者テーブルの構成の一例を示す模式図である。
【図４】実施形態に係る物品テーブルの構成の一例を示す模式図である。
【図５】実施形態に係る作業工程テーブルの構成の一例を示す模式図である。
【図６】実施形態に係る検知時刻管理テーブルの構成の一例を示す模式図である。
【図７】実施形態に係るアンテナが作業者識別情報を示すビーコン信号として複数のビーコン信号を受信した状態の一例を説明するための図である。
【図８】実施形態に係る作業実績テーブルの構成の一例を示す模式図である。
【図９】実施形態に係る作業指示テーブルの構成の一例を示す模式図である。
【図１０】実施形態に係る作業実績画面の一例を示す正面図である。
【図１１】第１の実施形態に係る作業実績管理装置として機能するコンピュータの構成の一例を示すブロック図である。
【図１２】第１の実施形態に係る作業実績管理プログラムの処理の流れの一例を示すフローチャートである。
【図１３】第２の実施形態に係る作業実績管理装置及びセル組立を含む作業実績管理システムの構成の一例を示すブロック図である。
【図１４】実施形態に係る物品仕様テーブルの構成の一例を示す模式図である。
【図１５】実施形態に係る仕様指定画面の一例を示す正面図である。
【図１６】実施形態に係る作業工程毎に取得された作業実績時間の一例を示す模式図である。
【図１７】第２の実施形態に係る作業実績管理装置として機能するコンピュータの構成の一例を示すブロック図である。
【図１８】第２の実施形態に係る作業実績管理プログラムの処理の流れの一例を示すフローチャートである。
【発明を実施するための形態】
【００１４】
以下、図面を参照して本発明に係る実施形態の一例を詳細に説明する。
【００１５】
[第１の実施形態]
図１は、第１の実施形態に係る作業実績管理装置１０Ａ及びセル組立９０を含む作業実績管理システムの構成の一例を示すブロック図である。
【００１６】
図１に示すように、本実施形態に係る作業実績管理装置１０Ａは、インターネットや、Local Area Network(ＬＡＮ)、Wide Area Network（ＷＡＮ）等のネットワークＮに接続される。作業実績管理装置１０Ａは、例えば、サーバコンピュータやパーソナルコンピュータ等の情報処理装置により構成される。
【００１７】
本実施形態に係る作業実績管理装置１０Ａは、物品を製造する製造現場において、作業者毎に作業工程毎の作業実績を管理する装置である。なお、本実施形態では、一例として、作業実績管理装置１０Ａをセル組立９０に適用した場合について説明するが、適用可能な生産方式は、セル生産方式に限定されるものではない。
【００１８】
セル組立９０には、一例として、複数の作業場所の一例である複数のセル３０Ａ、３０Ｂ、３０Ｃ、・・・が設けられている。また、セル３０Ａにはアンテナ３２Ａが設けられ、セル３０Ｂにはアンテナ３２Ｂが設けられ、セル３０Ｃにはアンテナ３２Ｃが設けられている。複数のアンテナ３２Ａ、３２Ｂ、３２Ｃ、・・・の各々は、ネットワークＮに接続されている。つまり、作業実績管理装置１０Ａと複数のアンテナ３２Ａ、３２Ｂ、３２Ｃ、・・・の各々とは、ネットワークＮを介して通信可能に接続されている。複数のアンテナ３２Ａ、３２Ｂ、３２Ｃ、・・・の各々には、各アンテナを個別に特定するアンテナ識別情報が割り当てられており、作業実績管理装置１０Ａでは、各アンテナ３２Ａ、３２Ｂ、３２Ｃ、・・・をアンテナ識別情報により識別可能とされている。
【００１９】
セル３０Ａでは、作業者３４Ａが工程ラベル３６Ａ及び物品３８Ａを持って入室し、作業者３４Ａが物品３８Ａに対して工程ラベル３６Ａで示される作業工程に沿った作業を行う。なお、工程ラベル３６Ａ及び物品３８Ａは必ずしも作業者３４Ａが持って移動する必要はなく、作業者３４Ａが台車等を用いて移動させてもよい。また、物品３８Ａは、物品３８Ａに固有の製造番号（シリアル番号、この例ではＳＮ７７８８）が付与されており、この製造番号により物品３８Ａが特定される。また、工程ラベル３６Ａは、作業工程の工程名（この例ではＱ工程）が表示されたラベルであり、この工程名により作業工程が特定される。作業者３４Ａは、作業工程が変わる毎に工程ラベル３６Ａを持ち替える。
【００２０】
作業者３４Ａは、作業者用発信器３５Ａを所持する。作業者用発信器３５Ａは、一例として、作業者識別情報を含むビーコン信号を一定周期で発信する小型のビーコン発信器である。この場合、作業者識別情報は、作業者用発信器３５Ａを個別に特定するビーコンＩＤ(Identification)として示される。
【００２１】
工程ラベル３６Ａには、作業工程用発信器３７Ａが貼付されている。作業工程用発信器３７Ａは、一例として、作業工程識別情報を含むビーコン信号を一定周期で発信する小型のビーコン発信器である。この場合、作業工程識別情報は、作業工程用発信器３７Ａを個別に特定するビーコンＩＤとして示される。
【００２２】
物品３８Ａには、物品用発信器３９Ａが貼付されている。物品用発信器３９Ａは、一例として、物品識別情報を含むビーコン信号を一定周期で発信する小型のビーコン発信器である。この場合、物品識別情報は、物品用発信器３９Ａを個別に特定するビーコンＩＤとして示される。なお、物品用発信器３９Ａは、物品３８Ａ以外に貼付されていてもよく、例えば、物品３８Ａと共に移動する作業指示書に貼付されていてもよい。
【００２３】
アンテナ３２Ａは、作業者用発信器３５Ａ、作業工程用発信器３７Ａ、及び物品用発信器３９Ａの各々が近接し、アンテナ３２Ａから一定範囲内にある場合に、各ビーコン発信器から発信されているビーコン信号を受信可能とされる。ここでいう一定範囲とは、例えば、アンテナ３２Ａとの距離が約２０ｍの範囲内とされる。なお、これらの作業者用発信器３５Ａ、作業工程用発信器３７Ａ、及び物品用発信器３９Ａの各々は、ビーコン発信器以外でもよく、例えば、Integrated Circuit（ＩＣ）タグを適用してもよい。
【００２４】
一方、セル３０Ｂでは、作業者３４Ｂが工程ラベル３６Ｂ及び物品３８Ｂを持って入室し、作業者３４Ｂが物品３８Ｂに対して工程ラベル３６Ｂで示される作業工程に沿った作業を行う。なお、物品３８Ｂは、物品３８Ｂに固有の製造番号（この例ではＳＷ３０１２）が付与されており、この製造番号により物品３８Ｂが特定される。また、工程ラベル３６Ｂは、作業工程の工程名（この例ではＲ工程）が表示されたラベルであり、この工程名により作業工程が特定される。
【００２５】
そして、作業者３４Ｂは、作業者識別情報を含むビーコン信号を一定周期で発信する小型の作業者用発信器３５Ｂを所持する。工程ラベル３６Ｂには、作業工程識別情報を含むビーコン信号を一定周期で発信する小型の作業工程用発信器３７Ｂが貼付されている。物品３８Ｂには、物品識別情報を含むビーコン信号を一定周期で発信する小型の物品用発信器３９Ｂが貼付されている。
【００２６】
アンテナ３２Ｂは、作業者用発信器３５Ｂ、作業工程用発信器３７Ｂ、及び物品用発信器３９Ｂの各々が近接し、アンテナ３２Ｂから一定範囲内にある場合に、各々のビーコン発信器から発信されているビーコン信号を受信可能とされる。なお、これらの作業者用発信器３５Ｂ、作業工程用発信器３７Ｂ、及び物品用発信器３９Ｂの各々は、ビーコン発信器以外でもよく、例えば、ＩＣタグを適用してもよい。
【００２７】
同様に、セル３０Ｃでは、作業者３４Ｃが工程ラベル３６Ｃ及び物品３８Ｃを持って入室し、作業者３４Ｃが物品３８Ｃに対して工程ラベル３６Ｃで示される作業工程に沿った作業を行う。なお、物品３８Ｃは、物品３８Ｃに固有の製造番号（この例ではＳＰ６５７３）が付与されており、この製造番号により物品３８Ｃが特定される。また、工程ラベル３６Ｃは、作業工程の工程名（この例ではＳ工程）が表示されたラベルであり、この工程名により作業工程が特定される。
【００２８】
そして、作業者３４Ｃは、作業者識別情報を含むビーコン信号を一定周期で発信する小型の作業者用発信器３５Ｃを所持する。工程ラベル３６Ｃには、作業工程識別情報を含むビーコン信号を一定周期で発信する小型の作業工程用発信器３７Ｃが貼付されている。物品３８Ｃには、物品識別情報を含むビーコン信号を一定周期で発信する小型の物品用発信器３９Ｃが貼付されている。
【００２９】
アンテナ３２Ｃは、作業者用発信器３５Ｃ、作業工程用発信器３７Ｃ、及び物品用発信器３９Ｃの各々が近接し、アンテナ３２Ｃから一定範囲内にある場合に、各々の発信器から発信されているビーコン信号を受信可能とされる。なお、これらの作業者用発信器３５Ｃ、作業工程用発信器３７Ｃ、及び物品用発信器３９Ｃの各々は、ビーコン発信器以外でもよく、例えば、ＩＣタグを適用してもよい。
【００３０】
以下、複数のセル３０Ａ、３０Ｂ、３０Ｃ、・・・を総称してセル３０と呼ぶ場合がある。また、複数のアンテナ３２Ａ、３２Ｂ、３２Ｃ、・・・を総称してアンテナ３２と呼ぶ場合がある。また、複数の作業者３４Ａ、３４Ｂ、３４Ｃ、・・・を総称して作業者３４と呼び、複数の作業者用発信器３５Ａ、３５Ｂ、３５Ｃ、・・・を総称して作業者用発信器３５と呼ぶ場合がある。また、複数の工程ラベル３６Ａ、３６Ｂ、３６Ｃ、・・・を総称して工程ラベル３６と呼び、複数の作業工程用発信器３７Ａ、３７Ｂ、３７Ｃ、・・・を総称して作業工程用発信器３７と呼ぶ場合がある。また、複数の物品３８Ａ、３８Ｂ、３８Ｃ、・・・を総称して物品３８と呼び、複数の物品用発信器３９Ａ、３９Ｂ、３９Ｃ、・・・を総称して物品用発信器３９と呼ぶ場合がある。
【００３１】
本実施形態に係る作業実績管理装置１０Ａは、機能的には、取得部１２と、対応付け部１４と、収集部１６と、生成部１８と、を含む。作業実績管理装置１０Ａは、更に、本実施形態に係る各種のデータテーブル（以下、テーブルという。）を記憶する記憶部２０と、液晶ディスプレイや有機Electro Luminescence(ＥＬ)ディスプレイ等の表示部２２と、を含む。
【００３２】
図２は、本実施形態に係る作業場所テーブル２０Ａの構成の一例を示す模式図である。
図２に示すように、作業場所テーブル２０Ａには、複数のアンテナ３２の各々を個別に特定するアンテナＩＤ（アンテナ識別情報）の各々が、セル３０（この例ではセル番号）の各々に対応付けて予め登録されている。
【００３３】
図３は、本実施形態に係る作業者テーブル２０Ｂの構成の一例を示す模式図である。
図３に示すように、作業者テーブル２０Ｂには、複数の作業者用発信器３５の各々を個別に特定するビーコンＩＤ（作業者識別情報）の各々が、作業者３４の各々に対応付けて予め登録されている。
【００３４】
図４は、本実施形態に係る物品テーブル２０Ｃの構成の一例を示す模式図である。
図４に示すように、物品テーブル２０Ｃには、複数の物品用発信器３９の各々を個別に特定するビーコンＩＤ（物品識別情報）の各々が、物品３８を表す製造番号の各々に対応付けて予め登録されている。
【００３５】
図５は、本実施形態に係る作業工程テーブル２０Ｄの構成の一例を示す模式図である。
図５に示すように、作業工程テーブル２０Ｄには、複数の作業工程用発信器３７の各々を個別に特定するビーコンＩＤ（作業工程識別情報）の各々が、工程ラベル３６で表される作業工程の各々に対応付けて予め登録されている。
【００３６】
図６は、本実施形態に係る検知時刻管理テーブル２０Ｅの構成の一例を示す模式図である。
図６に示すように、検知時刻管理テーブル２０Ｅには、各アンテナ３２で検知されたビーコンＩＤの検知時刻が時系列で連続的に登録される。
【００３７】
本実施形態に係る取得部１２は、アンテナ３２の各々について、複数の作業者用発信器３５のうち近接する作業者用発信器の作業者識別情報を検知した検知時刻を取得する。同様に、取得部１２は、アンテナ３２の各々について、複数の物品用発信器３９のうち近接する物品用発信器３９の物品識別情報を検知した検知時刻を取得する。取得部１２は、アンテナ３２の各々について、複数の作業工程用発信器３７のうち近接する作業工程用発信器の作業工程識別情報を検知した検知時刻を取得する。そして、取得部１２は、取得した検知時刻を検知時刻管理テーブル２０Ｅに登録する。
【００３８】
本実施形態に係る対応付け部１４は、検知時刻管理テーブル２０Ｅに登録された検知時刻に基づいて、同一のアンテナ３２で検知された作業者識別情報、物品識別情報、及び作業工程識別情報と、同一のアンテナ３２のアンテナ識別情報とを対応付ける。例えば、あるセル３０において１人の作業者が９時４５分から１０時３０分まで作業を行った場合を想定する。この場合、アンテナ３２では当該作業者の作業者識別情報（図６に示す例ではＨ２００１）が９時４５分から１０時３０分まで一定間隔（図６に示す例では１分間隔）で継続して検知される。なお、ここでいう一定間隔は、各ビーコン発信器からのビーコン信号の発信間隔に応じて適宜決定される。この結果、９時４５分から１０時３０分の間に検知された作業者識別情報の検知時刻を基準として所定の時間範囲に含まれる検知時刻を持つ物品識別情報及び作業工程識別情報が対応付けられる。所定の時間範囲としては、許容される検知誤差を含み、一例として１０秒程度とされる。
【００３９】
図６に示す例では、「００１」のアンテナＩＤに対して、所定時間の間継続的に検知された、「Ａ１００２（物品）」、「Ｈ２００１（作業者）」、及び「Ｋ３００１（作業工程）」の各ビーコンＩＤが対応付けられる。
【００４０】
図７は、本実施形態に係るアンテナ３２が、作業者識別情報を示すビーコン信号として、複数のビーコン信号を受信した状態の一例を説明するための図である。
【００４１】
ここで、複数のセル３０の各々は、外部からのビーコン信号を遮蔽可能な場所であることが望ましい。しかし、外部からのビーコン信号を適切に遮蔽することが困難な場合には、セル３０に設けられたアンテナ３２が受信する複数のビーコンＩＤのうち、信号強度が最も高いビーコンＩＤをアンテナ３２のアンテナＩＤに対応付けるようにしてもよい。つまり、信号強度が最も高いビーコンＩＤを発信したビーコン発信器は、アンテナ３２との距離が最も近いビーコン発信器である。このため、このビーコン発信器を持つ作業者３４は、アンテナ３２が設けられたセル３０で作業を行っている可能性が高いと考えられる。
【００４２】
図７に示す例では、「セル１」に対応する「００１」のアンテナＩＤについて示しており、受信した複数のビーコンＩＤ（この例では、Ｈ２００１、Ｈ２００２、Ｈ２００３）のうち、信号強度が最も高いビーコンＩＤを「００１」のアンテナＩＤに対応付ける。なお、０ｄＢ（デシベル）に近いほど信号強度が高いことを意味する。また、物品識別情報を示すビーコン信号、及び作業工程識別情報を示すビーコン信号のそれぞれについて複数のビーコンＩＤが受信されている場合も同様である。
【００４３】
本実施形態に係る収集部１６は、対応付け部１４により対応付けられたアンテナ識別情報、作業者識別情報、物品識別情報、及び作業工程識別情報に基づいて、各テーブル２０Ａ〜２０Ｄを検索する。収集部１６は、各テーブル２０Ａ〜２０Ｄの検索により、複数の作業者３４の各々について、作業場所、物品、及び作業工程を示す情報を収集し、かつ、検知時刻管理テーブル２０Ｅに登録された検知時刻に基づいて、作業工程毎の開始と終了の時刻を収集する。なお、作業工程の開始時刻とは、例えば、対応付けられた作業者識別情報、物品識別情報、及び作業工程識別情報のいずれかを最初に検知したときの検知時刻とされる。一方、作業工程の終了時刻とは、例えば、対応付けられた作業者識別情報、物品識別情報、及び作業工程識別情報のいずれかを最後に検知したときの検知時刻とされる。なお、対応付けられた作業者識別情報、物品識別情報、及び作業工程識別情報のいずれかが検知されない状態が所定時間継続した場合に、この所定時間の起点となる検知時刻を最後と判断する。
【００４４】
図８は、本実施形態に係る作業実績テーブル２０Ｆの構成の一例を示す模式図である。
図８に示すように、作業実績テーブル２０Ｆには、収集部１６により収集された、作業場所、物品、及び作業工程の各々を示す情報、及び作業工程毎の開始と終了の時刻を作業者毎に登録される。
【００４５】
そして、収集部１６は、作業工程毎の開始と終了の時刻から算出される作業実績時間を作業者毎に作業実績テーブル２０Ｆに登録する。
【００４６】
図９は、本実施形態に係る作業指示テーブル２０Ｇの構成の一例を示す模式図である。
図９に示すように、作業指示テーブル２０Ｇには、予め作成された複数の作業指示情報が登録されている。複数の作業指示情報の各々は、作業場所、物品、作業工程、作業の開始予定時刻と終了予定時刻、及び作業予定時間を含む。
【００４７】
そして、収集部１６は、作業実績テーブル２０Ｆに登録された作業実績時間と、作業指示テーブル２０Ｇに登録された作業予定時間との差異（予実差）を作業者毎に作業実績テーブル２０Ｆに登録する。
【００４８】
本実施形態に係る生成部１８は、作業実績テーブル２０Ｆに登録された内容に基づいて、作業者毎の作業実績を表す表示画面の一例として作業実績画面２２Ａを生成する。そして、表示部２２は、生成部１８により生成された作業実績画面２２Ａを表示する。
【００４９】
図１０は、本実施形態に係る作業実績画面２２Ａの一例を示す正面図である。
図１０に示すように、作業実績画面２２Ａには、作業者毎に、どのセル（Ｓ１〜Ｓ７）で何時間作業を行ったかを示す作業実績が表示される。なお、図１０に示すセルと、図１に示すセルとは、説明の便宜上、無関係とする。
【００５０】
図１１は、第１の実施形態に係る作業実績管理装置１０Ａとして機能するコンピュータ４０Ａの構成の一例を示すブロック図である。
【００５１】
作業実績管理装置１０Ａは、例えば、図１１に示すコンピュータ４０Ａで実現することができる。コンピュータ４０Ａは、Central Processing Unit（ＣＰＵ）４１と、一時記憶領域としてのメモリ４２と、不揮発性の記憶部４３とを備える。また、コンピュータ４０Ａは、入出力装置４４と、記憶媒体４８に対するデータの読み込み及び書き込みを制御するRead/Write（Ｒ／Ｗ）部４５と、インターネット等のネットワークに接続される通信インターフェース（Ｉ／Ｆ）４６とを備える。ＣＰＵ４１、メモリ４２、記憶部４３、入出力装置４４、Ｒ／Ｗ部４５、及び通信Ｉ／Ｆ４６は、バス４７を介して互いに接続される。
【００５２】
記憶部４３は、Hard Disk Drive（ＨＤＤ）、Solid State Drive（ＳＳＤ）、フラッシュメモリ等によって実現できる。記憶媒体としての記憶部４３には、コンピュータ４０Ａを作業実績管理装置１０Ａとして機能させるための作業実績管理プログラム５０Ａが記憶される。なお、記憶部４３は、図１に示す記憶部２０に対応する。
【００５３】
作業実績管理プログラム５０Ａは、取得プロセス５２と、対応付けプロセス５４と、収集プロセス５６と、生成プロセス５８と、を有する。
【００５４】
ＣＰＵ４１は、作業実績管理プログラム５０Ａを記憶部４３から読み出してメモリ４２に展開し、作業実績管理プログラム５０Ａが有するプロセスを順次実行する。ＣＰＵ４１は、取得プロセス５２を実行することで、図１に示す取得部１２として動作する。また、ＣＰＵ４１は、対応付けプロセス５４を実行することで、図１に示す対応付け部１４として動作する。また、ＣＰＵ４１は、収集プロセス５６を実行することで、図１に示す収集部１６として動作する。また、ＣＰＵ４１は、生成プロセス５８を実行することで、図１に示す生成部１８として動作する。これにより、作業実績管理プログラム５０Ａを実行したコンピュータ４０Ａが、作業実績管理装置１０Ａとして機能することになる。なお、コンピュータ４０Ａが作業実績管理プログラム５０Ａを実行することにより機能する部分は、作業実績管理装置１０Ａに相当する。この例の場合、作業実績管理プログラム５０Ａを実行するＣＰＵ４１は、ハードウェアである。
【００５５】
なお、作業実績管理プログラム５０Ａにより実現される機能は、例えば、半導体集積回路、より詳しくは、Application Specific Integrated Circuit（ＡＳＩＣ）等で実現することも可能である。
【００５６】
次に、図１２を参照して、第１の実施形態に係る作業実績管理装置１０Ａの作用を説明する。なお、図１２は、第１の実施形態に係る作業実績管理プログラム５０Ａの処理の流れの一例を示すフローチャートである。
【００５７】
なお、本実施形態では、作業実績管理装置１０Ａの操作者による操作の指示に応じて、作業実績管理プログラム５０Ａの実行が開始される。作業実績管理プログラム５０Ａの実行が開始されると、取得部１２が、各ビーコン発信器から発信されたビーコン信号の検知時刻を取得し、検知時刻管理テーブル２０Ｅに登録する。
【００５８】
まず、図１２のステップ１００では、対応付け部１４が、検知時刻管理テーブル２０Ｅに登録された検知時刻に基づいて、同一のアンテナ３２にて一定間隔で継続して検知された作業者のビーコンＩＤ（以下、作業者ＩＤという。）毎に仕分けを行う。
【００５９】
ステップ１０２では、対応付け部１４が、仕分けを行った複数の作業者ＩＤの中から作業者ＩＤを１つ選択する。
【００６０】
ステップ１０４では、対応付け部１４が、選択した作業者ＩＤに基づいて、検知時刻が連続した時系列データ毎にグループ化し、同一の作業者ＩＤについて複数のグループを生成する。すなわち、対応付け部１４は、選択した作業者ＩＤに基づいて検知時刻管理テーブル２０Ｅを検索し、検知時刻管理テーブル２０ＥからアンテナＩＤを取得する。そして、対応付け部１４は、取得したアンテナＩＤと同一のアンテナＩＤを持ち、かつ、選択した作業者ＩＤの検知時刻と同一の検知時刻を持つ物品のビーコンＩＤ（以下、物品ＩＤ）及び作業工程のビーコンＩＤ（以下、作業工程ＩＤ）を取得する。そして、対応付け部１４は、これらのアンテナＩＤ、作業者ＩＤ、物品ＩＤ、及び作業工程ＩＤを対応付ける。
【００６１】
ステップ１０６では、対応付け部１４が、生成した複数のグループの中からグループを１つ選択する。
【００６２】
ステップ１０８では、収集部１６が、ステップ１０６で選択したグループにおいて検知時刻が最も早い作業者ＩＤの検知時刻を作業工程の開始時刻として取得し、同グループにおいて検知時刻が最も遅い作業者ＩＤの検知時刻を作業工程の終了時刻として取得する。
【００６３】
ステップ１１０では、収集部１６が、ステップ１０８で取得した作業工程の開始時刻と終了時刻とに基づいて、作業工程に要した作業実績時間を算出する。
【００６４】
ステップ１１２では、収集部１６は、ステップ１０４で対応付けたアンテナＩＤに基づいて作業場所テーブル２０Ａを検索し、作業場所テーブル２０Ａからセル番号を取得する。
【００６５】
ステップ１１４では、収集部１６は、ステップ１０４で対応付けた物品ＩＤに基づいて物品テーブル２０Ｃを検索し、物品テーブル２０Ｃから物品の製造番号を取得する。更に、収集部１６は、ステップ１０４で対応付けた作業工程ＩＤに基づいて作業工程テーブル２０Ｄを検索し、作業工程テーブル２０Ｄから作業工程を取得する。
【００６６】
ステップ１１６では、収集部１６が、作業指示テーブル２０Ｇから、ステップ１１４で取得した製造番号及び作業工程に対応する作業予定時間を取得する。
【００６７】
ステップ１１８では、収集部１６が、ステップ１１０で算出した作業実績時間と、ステップ１１６で取得した作業予定時間と、の予実差を算出する。そして、収集部１６は、作業者テーブル２０Ｂを検索し、上記ステップ１０２で選択した作業者ＩＤが示す作業者を取得する。 収集部１６は、上記により得られた製造番号、セル番号、作業工程、開始時刻、終了時刻、作業実績時間、及び予実差を作業者毎に作業実績テーブル２０Ｆに登録する。
【００６８】
ステップ１２０では、収集部１６が、全てのグループについて処理を終了したか否かを判定する。全てのグループについて処理を終了したと判定した場合（肯定判定の場合）、ステップ１２２に移行し、全てのグループについて処理を終了していないと判定した場合（否定判定の場合）、ステップ１０６に戻り処理を繰り返す。
【００６９】
ステップ１２２では、収集部１６が、全ての作業者について処理を終了したか否かを判定する。全ての作業者について処理を終了したと判定した場合（肯定判定の場合）、本作業実績管理プログラム５０Ａによる一連の処理を終了する。一方、全ての作業者について処理が終了していないと判定した場合（否定判定の場合）、ステップ１０２に戻り処理を繰り返す。
【００７０】
以上説明したように、本実施形態によれば、作業工程用発信器３７が貼付された工程ラベル３６を予め準備し、作業者３４が担当する作業工程に対応する工程ラベル３６を持ってセル３０に入る。これにより、作業者３４がどのセルでどの作業工程を担当しているか簡単に特定することができる。更に、作業者３４が作業者用発信器３５を所持し、作業者３４が工程ラベル３６に加え、物品用発信器３９が貼付された物品３８を持ってセル３０に入ることで、作業者３４がどのセルでどの物品のどの作業工程を担当しているか簡単に特定することができる。そして、作業者３４の作業工程毎の作業実績を収集、表示することができるため、作業者毎の作業実績管理を効率的に行うことができる。
【００７１】
[第２の実施形態]
図１３は、第２の実施形態に係る作業実績管理装置１０Ｂ及びセル組立９０を含む作業実績管理システムの構成の一例を示すブロック図である。
【００７２】
本実施形態に係る作業実績管理装置１０Ｂは、機能的には、第１の実施形態で説明した作業実績管理装置１０Ａが備える各部に加え、算出部２４を更に含む。また、作業実績管理装置１０Ｂは、第１の実施形態で説明した作業実績管理装置１０Ａが備える各テーブルに加え、物品仕様テーブル２０Ｈを更に含む。ここでは、第１の実施形態で説明した作業実績管理装置１０Ａが備える各部及び各テーブルの構成についての繰り返しの説明は省略する。
【００７３】
上述の第１の実施形態では、新規の物品に関する作業予定時間（参考値）として、作業者が経験的に得た大凡の時間を作業指示テーブル２０Ｇに登録していたが、この場合、実際の作業実績時間と大きく乖離する場合があった。これに対して、第２の実施形態では、新規の物品の仕様と似た仕様を持つ過去の物品の作業実績時間から、新規の物品に関する作業予定時間を算出する。これにより、作業予定時間と作業実績時間との乖離を小さくし、作業予定時間の精度の向上を図る。
【００７４】
図１４は、本実施形態に係る物品仕様テーブル２０Ｈの構成の一例を示す模式図である。
図１４に示すように、物品仕様テーブル２０Ｈには、作業実績テーブル２０Ｆに登録された複数の物品と、複数の物品の各々の仕様とが対応付けられて登録されている。なお、仕様とは、一例として、物品の機械的仕様、電気的仕様、及び寸法的仕様等であり、複数の物品で共通の仕様を持つ場合もある。
【００７５】
図１５は、本実施形態に係る仕様指定画面２２Ｂの一例を示す正面図である。
図１５に示すように、仕様指定画面２２Ｂは、表示部２２に表示され、新規の物品の仕様と類似する仕様を作業者に指定させるための画面である。
【００７６】
本実施形態に係る算出部２４は、物品仕様テーブル２０Ｈから、仕様指定画面２２Ｂを介して指定された仕様に対応する複数の物品の製造番号を取得する。
【００７７】
算出部２４は、作業実績テーブル２０Ｆから、上記で取得した複数の物品の製造番号の各々についての作業工程毎の作業実績時間を取得し、取得した作業実績時間を作業工程毎に集計した結果に基づいて、作業工程毎に作業実績時間の平均値を算出する。そして、算出部２４は、作業工程毎の作業実績時間の平均値を、新規の物品の作業工程毎の作業予定時間として、作業指示テーブル２０Ｇに登録する。
【００７８】
図１６は、本実施形態に係る作業工程毎に取得された作業実績時間の一例を示す模式図である。
【００７９】
図１６に示す例では、新規の物品が「ＲＦ」として示され、過去に製造された物品が「ＡＢ」、「ＫＪ」として示される。これら「ＡＢ」及び「ＫＪ」の各々の物品の作業工程毎の作業実績時間は、作業実績テーブル２０Ｆから取得される。「ＡＢ」の場合、「Ｑ工程」が６２時間、「Ｒ工程」が１４０時間、「Ｓ工程」が３００時間とされる。一方、「ＫＪ」の場合、「Ｑ工程」が５４時間、「Ｒ工程」が１６０時間、「Ｓ工程」が３２０時間とされる。
【００８０】
そして、上記「Ｑ工程」の作業実績時間の平均値は、（６２＋５４）／２＝５８時間と算出され、上記「Ｒ工程」の作業実績時間の平均値は、（１４０＋１６０）／２＝１５０時間と算出され、上記「Ｓ工程」の作業実績時間の平均値は、（３００＋３２０）／２＝３１０時間と算出される。これら算出された平均値が、上記「ＲＦ」の各作業工程の参考値として登録、表示される。
【００８１】
図１７は、第２の実施形態に係る作業実績管理装置１０Ｂとして機能するコンピュータ４０Ｂの構成の一例を示すブロック図である。
【００８２】
作業実績管理装置１０Ｂは、例えば、図１７に示すコンピュータ４０Ｂで実現することができる。コンピュータ４０Ｂの構成は、第１の実施形態で説明したコンピュータ４０Ａの構成と同様であるため、ここでの繰り返しの説明は省略する。
【００８３】
記憶媒体としての記憶部４３には、コンピュータ４０Ｂを作業実績管理装置１０Ｂとして機能させるための作業実績管理プログラム５０Ｂが記憶される。なお、記憶部４３は、図１３に示す記憶部２０に対応する。
【００８４】
作業実績管理プログラム５０Ｂは、第１の実施形態で説明した各プロセスに加え、算出プロセス６０を有する。
【００８５】
ＣＰＵ４１は、作業実績管理プログラム５０Ｂを記憶部４３から読み出してメモリ４２に展開し、作業実績管理プログラム５０Ｂが有するプロセスを順次実行する。ＣＰＵ４１は、取得プロセス５２を実行することで、図１３に示す取得部１２として動作する。また、ＣＰＵ４１は、対応付けプロセス５４を実行することで、図１３に示す対応付け部１４として動作する。また、ＣＰＵ４１は、収集プロセス５６を実行することで、図１３に示す収集部１６として動作する。また、ＣＰＵ４１は、生成プロセス５８を実行することで、図１３に示す生成部１８として動作する。また、ＣＰＵ４１は、算出プロセス６０を実行することで、図１３に示す算出部２４として動作する。これにより、作業実績管理プログラム５０Ｂを実行したコンピュータ４０Ｂが、作業実績管理装置１０Ｂとして機能することになる。なお、コンピュータ４０Ｂが作業実績管理プログラム５０Ｂを実行することにより機能する部分は、作業実績管理装置１０Ｂに相当する。この例の場合、作業実績管理プログラム５０Ｂを実行するＣＰＵ４１は、ハードウェアである。
【００８６】
次に、図１８を参照して、第２の実施形態に係る作業実績管理装置１０Ｂの作用を説明する。なお、図１８は、第２の実施形態に係る作業実績管理プログラム５０Ｂの処理の流れの一例を示すフローチャートである。
【００８７】
なお、本実施形態に係る算出プロセス６０は、作業実績管理プログラム５０Ｂの一部として実行される。本実施形態に係る算出部２４は、作業実績管理装置１０Ｂの操作者による操作の指示に応じて、図１５に示す仕様指定画面２２Ｂを表示部２２に表示させる。
【００８８】
まず、図１８のステップ２００では、算出部２４が、仕様指定画面２２Ｂを介して仕様の指定を受け付ける。
【００８９】
ステップ２０２では、算出部２４が、指定された仕様と同一の仕様を持つ複数の物品の製造番号を物品仕様テーブル２０Ｈから取得する。
【００９０】
ステップ２０４では、算出部２４が、ステップ２０２で取得した複数の物品の製造番号の中から製造番号を１つ選択する。
【００９１】
ステップ２０６では、算出部２４が、ステップ２０４で選択した製造番号に対応する作業実績時間を作業実績テーブル２０Ｆから取得する。
【００９２】
ステップ２０８では、算出部２４が、全ての物品の製造番号について処理が終了したか否かを判定する。全ての物品の製造番号について処理が終了したと判定した場合（肯定判定の場合）、ステップ２１０に移行し、全ての物品の製造番号について処理が終了していないと判定した場合（否定判定の場合）、ステップ２０４に移行して処理を繰り返す。
【００９３】
ステップ２１０では、算出部２４が、図１６に示すように、過去に製造された複数の物品の作業実績時間を作業工程毎に集計する。
【００９４】
ステップ２１２では、算出部２４が、図１６に示すように、ステップ２１０での集計結果に基づいて、作業工程毎に平均値を算出する。
【００９５】
ステップ２１４では、算出部２４が、ステップ２１２で算出した平均値を、新規の物品の作業予定時間として、作業指示テーブル２０Ｇに登録する。
【００９６】
ステップ２１６では、算出部２４が、作業指示テーブル２０Ｇに登録した作業予定時間を、参考値として表示部２２に表示させ、本作業実績管理プログラム５０Ｂの一連の処理を終了する。なお、作業指示テーブル２０Ｇに登録された作業予定時間は、適宜変更が可能とされる。
【００９７】
以上説明したように、本実施形態によれば、新規の物品の仕様と似た仕様を持つ過去の物品の作業実績時間から、新規の物品に関する作業予定時間が算出される。このため、作業予定時間の精度が向上し、作業実績時間の妥当性を適切に判断することができる。
【００９８】
なお、上記各実施形態においては、作業工程用発信器を工程ラベルに貼付する場合について説明したが、各作業工程で使用する工具等に貼付しておいてもよい。この場合、作業工程の変更に伴う工程ラベルの持ち替えを作業者が意識する必要がなく、作業者への負担を軽減することができる。
【００９９】
また、上記各実施形態においては、作業実績管理プログラムが記憶部に予め記憶（インストール）されている態様を説明したが、これに限定されない。プログラムは、ＣＤ−ＲＯＭ、ＤＶＤ−ＲＯＭ、ＵＳＢメモリ等の記憶媒体に記憶された形態で提供することも可能である。
【０１００】
また、上記各実施形態として作業実績管理装置及び方法を例示して説明した。各実施形態は、作業実績管理装置が備える各部の機能をコンピュータに実行させるためのプログラムの形態としてもよい。各実施形態は、このプログラムを記憶したコンピュータが読み取り可能な記憶媒体の形態としてもよい。
【０１０１】
その他、上記各実施形態で説明した作業実績管理装置の構成は、一例であり、主旨を逸脱しない範囲内において状況に応じて変更してもよい。
【０１０２】
また、上記各実施形態で説明したプログラムの処理の流れも、一例であり、主旨を逸脱しない範囲内において不要なステップを削除したり、新たなステップを追加したり、処理順序を入れ替えたりしてもよい。
【０１０３】
また、上記各実施形態では、プログラムを実行することにより、各実施形態に係る処理がコンピュータを利用してソフトウェア構成により実現される場合について説明したが、これに限らない。各実施形態は、例えば、ハードウェア構成や、ハードウェア構成とソフトウェア構成との組み合わせによって実現してもよい。
【０１０４】
以上の実施形態に関し、更に以下の付記を開示する。
【０１０５】
（付記１）
複数の作業場所の各々に設置されたアンテナの各々を個別に特定するアンテナ識別情報の各々を、前記複数の作業場所の各々に対応付けて登録した作業場所テーブルと、
複数の作業者用発信器の各々を個別に特定する作業者識別情報の各々を、複数の作業者の各々に対応付けて登録した作業者テーブルと、
複数の物品用発信器の各々を個別に特定する物品識別情報の各々を、複数の物品の各々に対応付けて登録した物品テーブルと、
複数の作業工程用発信器の各々を個別に特定する作業工程識別情報の各々を、複数の作業工程の各々に対応付けて登録した作業工程テーブルと、
前記アンテナの各々について、前記複数の作業者用発信器のうち近接する作業者用発信器の作業者識別情報、前記複数の物品用発信器のうち近接する物品用発信器の物品識別情報、及び前記複数の作業工程用発信器のうち近接する作業工程用発信器の作業工程識別情報の各々を検知した検知時刻を取得する取得部と、
前記取得部により取得された検知時刻に基づいて、同一のアンテナで検知された作業者識別情報、物品識別情報、及び作業工程識別情報と、前記同一のアンテナのアンテナ識別情報とを対応付ける対応付け部と、
前記対応付け部により対応付けられたアンテナ識別情報、作業者識別情報、物品識別情報、及び作業工程識別情報に基づいて、前記作業場所テーブル、前記作業者テーブル、前記物品テーブル、及び前記作業工程テーブルを検索することにより、前記複数の作業者の各々について、作業場所、物品、及び作業工程を示す情報を収集し、かつ、前記検知時刻に基づいて、作業工程毎の開始と終了の時刻を収集する収集部と、
を備えたことを特徴とする作業実績管理装置。
【０１０６】
（付記２）
前記収集部により収集された、作業場所、物品、及び作業工程を示す情報、及び作業工程毎の開始と終了の時刻を作業者毎に登録した作業実績テーブルを更に備え、
前記収集部は、前記作業工程毎の開始と終了の時刻から算出される作業実績時間を作業者毎に前記作業実績テーブルに登録することを特徴とする付記１に記載の作業実績管理装置。
【０１０７】
（付記３）
前記作業実績テーブルに登録された内容に基づいて、作業者毎の作業実績を表す表示画面を生成する生成部と、
前記生成部により生成された表示画面を表示する表示部と、
を更に備えたことを特徴とする付記２に記載の作業実績管理装置。
【０１０８】
（付記４）
予め作成された複数の作業指示情報であって、各々が作業場所、物品、作業工程、及び作業予定時間を含む複数の作業指示情報を登録した作業指示テーブルを更に備え、
前記収集部は、前記作業実績テーブルに登録された作業実績時間と、前記作業指示テーブルに登録された作業予定時間との差異を作業者毎に前記作業実績テーブルに登録することを特徴とする付記２又は３に記載の作業実績管理装置。
【０１０９】
（付記５）
前記作業実績テーブルに登録された複数の物品と、前記複数の物品の各々の仕様とを対応付けて登録した物品仕様テーブルと、
前記物品仕様テーブルから、新規の物品に関して指定された仕様に対応する複数の物品を示す情報を取得し、前記作業実績テーブルから、前記複数の物品の各々についての作業工程毎の作業実績時間を取得し、取得した作業実績時間を作業工程毎に集計した結果に基づいて、作業工程毎に作業実績時間の平均値を算出する算出部と、
を更に備えたことを特徴とする付記４に記載の作業実績管理装置。
【０１１０】
（付記６）
前記算出部は、前記作業工程毎の作業実績時間の平均値を、前記新規の物品の作業工程毎の作業予定時間として、前記作業指示テーブルに登録することを特徴とする付記５に記載の作業実績管理装置。
【０１１１】
（付記７）
前記作業者用発信器は、作業者により所持され、前記作業者識別情報を含むビーコン信号を発信する発信器であり、
前記物品用発信器は、物品又は物品と共に移動する作業指示書に貼付され、前記物品識別情報を含むビーコン信号を発信する発信器であり、
前記作業工程用発信器は、作業工程を表すラベルに貼付され、前記作業工程識別情報を含むビーコン信号を発信する発信器であることを特徴とする付記１〜６のいずれか１項に記載の作業実績管理装置。
【０１１２】
（付記８）
複数の作業場所の各々に設置されたアンテナの各々を個別に特定するアンテナ識別情報の各々を、前記複数の作業場所の各々に対応付けて登録した作業場所テーブルと、
複数の作業者用発信器の各々を個別に特定する作業者識別情報の各々を、複数の作業者の各々に対応付けて登録した作業者テーブルと、
複数の物品用発信器の各々を個別に特定する物品識別情報の各々を、複数の物品の各々に対応付けて登録した物品テーブルと、
複数の作業工程用発信器の各々を個別に特定する作業工程識別情報の各々を、複数の作業工程の各々に対応付けて登録した作業工程テーブルと、を用いて、
前記アンテナの各々について、前記複数の作業者用発信器のうち近接する作業者用発信器の作業者識別情報、前記複数の物品用発信器のうち近接する物品用発信器の物品識別情報、及び前記複数の作業工程用発信器のうち近接する作業工程用発信器の作業工程識別情報の各々を検知した検知時刻を取得し、
前記取得された検知時刻に基づいて、同一のアンテナで検知された作業者識別情報、物品識別情報、及び作業工程識別情報と、前記同一のアンテナのアンテナ識別情報とを対応付け、
前記対応付けられたアンテナ識別情報、作業者識別情報、物品識別情報、及び作業工程識別情報に基づいて、前記作業場所テーブル、前記作業者テーブル、前記物品テーブル、及び前記作業工程テーブルを検索することにより、前記複数の作業者の各々について、作業場所、物品、及び作業工程を示す情報を収集し、かつ、前記検知時刻に基づいて、作業工程毎の開始と終了の時刻を収集する、
処理をコンピュータに実行させることを特徴とする作業実績管理プログラム。
【０１１３】
（付記９）
前記収集された、作業場所、物品、及び作業工程を示す情報、及び作業工程毎の開始と終了の時刻を作業者毎に登録した作業実績テーブルを更に用いて、
前記収集された作業工程毎の開始と終了の時刻から算出される作業実績時間を作業者毎に前記作業実績テーブルに登録する、
ことを特徴とする付記８に記載の作業実績管理プログラム。
【０１１４】
（付記１０）
前記作業実績テーブルに登録された内容に基づいて、作業者毎の作業実績を表す表示画面を生成し、生成した表示画面を表示部に表示させる、
ことを特徴とする付記９に記載の作業実績管理プログラム。
【０１１５】
（付記１１）
予め作成された複数の作業指示情報であって、各々が作業場所、物品、作業工程、及び作業予定時間を含む複数の作業指示情報を登録した作業指示テーブルを更に用いて、
前記作業実績テーブルに登録された作業実績時間と、前記作業指示テーブルに登録された作業予定時間との差異を作業者毎に前記作業実績テーブルに登録する、
ことを特徴とする付記９又は１０に記載の作業実績管理プログラム。
【０１１６】
（付記１２）
前記作業実績テーブルに登録された複数の物品と、前記複数の物品の各々の仕様とを対応付けて登録した物品仕様テーブルを更に用いて、
前記物品仕様テーブルから、新規の物品に関して指定された仕様に対応する複数の物品を示す情報を取得し、前記作業実績テーブルから、前記複数の物品の各々についての作業工程毎の作業実績時間を取得し、取得した作業実績時間を作業工程毎に集計した結果に基づいて、作業工程毎に作業実績時間の平均値を算出する、
ことを特徴とする付記１１に記載の作業実績管理プログラム。
【０１１７】
（付記１３）
前記作業工程毎の作業実績時間の平均値を、前記新規の物品の作業工程毎の作業予定時間として、前記作業指示テーブルに登録する、
ことを特徴とする付記１２に記載の作業実績管理プログラム。
【０１１８】
（付記１４）
複数の作業場所の各々に設置されたアンテナの各々を個別に特定するアンテナ識別情報の各々を、前記複数の作業場所の各々に対応付けて登録した作業場所テーブルと、
複数の作業者用発信器の各々を個別に特定する作業者識別情報の各々を、複数の作業者の各々に対応付けて登録した作業者テーブルと、
複数の物品用発信器の各々を個別に特定する物品識別情報の各々を、複数の物品の各々に対応付けて登録した物品テーブルと、
複数の作業工程用発信器の各々を個別に特定する作業工程識別情報の各々を、複数の作業工程の各々に対応付けて登録した作業工程テーブルと、を用いて、
前記アンテナの各々について、前記複数の作業者用発信器のうち近接する作業者用発信器の作業者識別情報、前記複数の物品用発信器のうち近接する物品用発信器の物品識別情報、及び前記複数の作業工程用発信器のうち近接する作業工程用発信器の作業工程識別情報の各々を検知した検知時刻を取得し、
前記取得された検知時刻に基づいて、同一のアンテナで検知された作業者識別情報、物品識別情報、及び作業工程識別情報と、前記同一のアンテナのアンテナ識別情報とを対応付け、
前記対応付けられたアンテナ識別情報、作業者識別情報、物品識別情報、及び作業工程識別情報に基づいて、前記作業場所テーブル、前記作業者テーブル、前記物品テーブル、及び前記作業工程テーブルを検索することにより、前記複数の作業者の各々について、作業場所、物品、及び作業工程を示す情報を収集し、かつ、前記検知時刻に基づいて、作業工程毎の開始と終了の時刻を収集する、
処理をコンピュータが実行することを特徴とする作業実績管理方法。
【０１１９】
（付記１５）
前記収集された、作業場所、物品、及び作業工程を示す情報、及び作業工程毎の開始と終了の時刻を作業者毎に登録した作業実績テーブルを更に用いて、
前記収集された作業工程毎の開始と終了の時刻から算出される作業実績時間を作業者毎に前記作業実績テーブルに登録する、
ことを特徴とする付記１４に記載の作業実績管理方法。
【０１２０】
（付記１６）
前記作業実績テーブルに登録された内容に基づいて、作業者毎の作業実績を表す表示画面を生成し、生成した表示画面を表示部に表示させる、
ことを特徴とする付記１５に記載の作業実績管理方法。
【０１２１】
（付記１７）
予め作成された複数の作業指示情報であって、各々が作業場所、物品、作業工程、及び作業予定時間を含む複数の作業指示情報を登録した作業指示テーブルを更に用いて、
前記作業実績テーブルに登録された作業実績時間と、前記作業指示テーブルに登録された作業予定時間との差異を作業者毎に前記作業実績テーブルに登録する、
ことを特徴とする付記１５又は１６に記載の作業実績管理方法。
【０１２２】
（付記１８）
前記作業実績テーブルに登録された複数の物品と、前記複数の物品の各々の仕様とを対応付けて登録した物品仕様テーブルを更に用いて、
前記物品仕様テーブルから、新規の物品に関して指定された仕様に対応する複数の物品を示す情報を取得し、前記作業実績テーブルから、前記複数の物品の各々についての作業工程毎の作業実績時間を取得し、取得した作業実績時間を作業工程毎に集計した結果に基づいて、作業工程毎に作業実績時間の平均値を算出する、
ことを特徴とする付記１７に記載の作業実績管理方法。
【０１２３】
（付記１９）
前記作業工程毎の作業実績時間の平均値を、前記新規の物品の作業工程毎の作業予定時間として、前記作業指示テーブルに登録する、
ことを特徴とする付記１８に記載の作業実績管理方法。
【０１２４】
（付記２０）
複数の作業場所の各々に設置されたアンテナの各々を個別に特定するアンテナ識別情報の各々を、前記複数の作業場所の各々に対応付けて登録した作業場所テーブルと、
複数の作業者用発信器の各々を個別に特定する作業者識別情報の各々を、複数の作業者の各々に対応付けて登録した作業者テーブルと、
複数の物品用発信器の各々を個別に特定する物品識別情報の各々を、複数の物品の各々に対応付けて登録した物品テーブルと、
複数の作業工程用発信器の各々を個別に特定する作業工程識別情報の各々を、複数の作業工程の各々に対応付けて登録した作業工程テーブルと、を用いて、
前記アンテナの各々について、前記複数の作業者用発信器のうち近接する作業者用発信器の作業者識別情報、前記複数の物品用発信器のうち近接する物品用発信器の物品識別情報、及び前記複数の作業工程用発信器のうち近接する作業工程用発信器の作業工程識別情報の各々を検知した検知時刻を取得し、
前記取得された検知時刻に基づいて、同一のアンテナで検知された作業者識別情報、物品識別情報、及び作業工程識別情報と、前記同一のアンテナのアンテナ識別情報とを対応付け、
前記対応付けられたアンテナ識別情報、作業者識別情報、物品識別情報、及び作業工程識別情報に基づいて、前記作業場所テーブル、前記作業者テーブル、前記物品テーブル、及び前記作業工程テーブルを検索することにより、前記複数の作業者の各々について、作業場所、物品、及び作業工程を示す情報を収集し、かつ、前記検知時刻に基づいて、作業工程毎の開始と終了の時刻を収集する、
処理をコンピュータに実行させる作業実績管理プログラムを記憶したことを特徴とする記憶媒体。
【符号の説明】
【０１２５】
１０Ａ、１０Ｂ作業実績管理装置
１２   取得部
１４   対応付け部
１６   収集部
１８   生成部
２０   記憶部
２０Ａ 作業場所テーブル
２０Ｂ 作業者テーブル
２０Ｃ 物品テーブル
２０Ｄ 作業工程テーブル
２０Ｅ 検知時刻管理テーブル
２０Ｆ 作業実績テーブル
２０Ｇ 作業指示テーブル
２０Ｈ 物品仕様テーブル
２２   表示部
２２Ａ 作業実績画面
２２Ｂ 仕様指定画面
２４   算出部
３０、３０Ａ〜３０Ｃ セル
３２、３２Ａ〜３０Ｃ アンテナ
３４、３４Ａ〜３４Ｃ 作業者
３５、３５Ａ〜３５Ｃ 作業者用発信器
３６、３６Ａ〜３６Ｃ 工程ラベル
３７、３７Ａ〜３７Ｃ 作業工程用発信器
３８、３８Ａ〜３８Ｃ 物品
３９、３９Ａ〜３９Ｃ 物品用発信器
４０Ａ、４０Ｂ  コンピュータ
４１   ＣＰＵ
４２   メモリ
４３   記憶部
４４   入出力装置
４５   Ｒ／Ｗ部
４６   通信Ｉ／Ｆ
４７   バス
４８   記憶媒体
５０Ａ、５０Ｂ  作業実績管理プログラム
５２   取得プロセス
５４   対応付けプロセス
５６   収集プロセス
５８   生成プロセス
６０   算出プロセス
９０   セル組立
【図１】
2018169648.tif 000003
【図２】
2018169648.tif 000004
【図３】
2018169648.tif 000005
【図４】
2018169648.tif 000006
【図５】
2018169648.tif 000007
【図６】
2018169648.tif 000008
【図７】
2018169648.tif 000009
【図８】
2018169648.tif 000010
【図９】
2018169648.tif 000011
【図１０】
2018169648.tif 000012
【図１１】
2018169648.tif 000013
【図１２】
2018169648.tif 000014
【図１３】
2018169648.tif 000015
【図１４】
2018169648.tif 000016
【図１５】
2018169648.tif 000017
【図１６】
2018169648.tif 000018
【図１７】
2018169648.tif 000019
【図１８】
2018169648.tif 000020